(57)【要約】【課題】音を検知した結果として、被検出音より大きな音を至近距離でハウリングを起こさず輻射出来る装置を簡単な構成で実現する。【目的】音の存在を認識し易くする機器やハウリングの起こらない拡声機、更にハウリングの起こらない聴覚支援機器等を市場に提供する。【解決手段】音の検出と輻射を時間軸上で重ならない期間に行う。図２は本発明例の説明図であり、本装置から音輻射が行われていない時にマイクロホンＢ８で捕らえられた音がＡ／Ｄ変換器９、メモリー１０、Ｄ／Ａ変換器１１、制御信号発生器１４、音有無検出器１５によって遅延後、増幅器１２、輻射器１３を経て音として輻射される。【選択図】図２
2009268038.tif 000002
【特許請求の範囲】
【請求項１】
音の検出と輻射が時間軸上で重ならない期間に行われ、音検出動作が終了したら自動的に音輻射が行われることを特徴とする装置。
【発明の詳細な説明】
【技術分野】
【０００１】  この発明は、音検知機能と音輻射機能を持ち、音の検知と輻射が時間軸上で重ならない期間に行われ、音検知が終了すると自動的に音輻射が行われる装置に関するものである。
【背景技術】
【０００２】小さな音を認識し易くする装置には拡声機が有るが、拡声機はマイクロホンとスピーカの距離が近いとハウリングを起こす欠点がある。また、近年の技術を用いればマイクロホンとスピーカの距離をかなり近くしてもハウリングがあまり起きない装置を実現出来るが、限度がある上に構成が複雑になる欠点があった。
【発明の開示】
【発明が解決しようとする課題】
【０００３】音を検知した結果として、被検出音より大きな音を至近距離でハウリングを起こさず輻射出来る装置を簡単な構成で実現する。
【課題を解決するための手段】音の検出と輻射を時間軸上で重ならない期間に行い、音検出動作が終了したら自動的に音輻射を行う。
【発明の効果】
【０００４】従来拡声機などの装置は、検出された音を大きな音に変えて検出場所の近くで輻射するとハウリングが起こるのが普通であったが、この発明を用いればハウリングの決して起こらない装置を製造出来る。
【発明を実施するための最良の形態】
【０００５】図１はマイクロホンで音が検出されると、内蔵の信号発生器が信号を発生して音を輻射する、本発明が適用された装置の構成例ブロックとそのスイッチ駆動信号波形図である。
図２は検出された音信号をデジタル信号に変換してメモリーに蓄え、それを読み出してアナログ信号に変換することで検出音を遅延して輻射する、本発明が適用された装置の構成例ブロック図である。
図１の構成では輻射される音は元の音とは全く異なるが、簡単な構成が可能である。また、図２の構成はやや複雑なものの元の音内容がそれほど損なわれない音を輻射出来る。【０００６】図１の構成と動作を説明すると、
１）スイッチ駆動器７は予め設定された周期とデユーティーのスイッチ駆動信号を出力す    る。
２）スイッチ駆動器７の出力信号がＨレベルの時、スイッチＡ１によりマイクロホンＡ１    と検出＆保持器３は結合される。
３）検出＆保持器３はスイッチＡ１によってマイクロホンＡ１と結合されている期間中に    マイクロホンＡ１の出力信号が設定値以上の大きさで一定以上の期間続くと“音有り    ”、そうでない場合は“音無し”と判断する。そしてこの“音有り”又は“音無し”    の情報はスイッチ駆動器７の出力信号がＬレベルの期間も保持する。
４）音信号発生器４は検出＆保持器３に接続されていて、検出＆保持器３が“音有り”情    報を保持している場合に音信号を発生する、しかし“音無し”なら発生しない。
５）スイッチ駆動器７の出力信号がＬレベルになると、スイッチＡ１によるにマイクロホ    ンＡ１と検出＆保持器３の結合は解除されて音検出動作は停止されると共に、スイッ    チＢ５によって音声信号発生器４と輻射器６は結合され、輻射器６はこの時音声信号    発生器４が音信号を発生しているならその信号を音に変えて輻射する。
５）スイッチ駆動器７の出力信号が再びＨレベルになると、スイッチＢ２による音声信号    発生器４と輻射器６の結合は解除されて音の輻射は停止される。また、スイッチＡ１    によりマイクロホンＡ１と検出＆保持器３は結合され、再び音検出動作が行われる。
６）３）〜５）の動作が繰り返されてこの装置は音を検出すると、被検出音とは異なる音    をスイッチ駆動器７の出力信号がＬレベルの時に輻射する。【０００７】図２のブロック構成と動作を説明すると、
１）マイクロホンＢ８は周囲の音をアナログ電気信号に変換して出力する。
２）Ａ／Ｄ変換器９の入力側はマイクロホンＢ８の出力に接続されていてマイクロホンＢ    ８から入ってくる音信号をデジタル信号に変換する。
３）メモリー１０は入力側がＡ／Ｄ変換器９の出力に接続されていて、制御信号発生器１    ４の指令により、Ａ／Ｄ変換器９の出力デジタル信号を記録したり記録されたデジタ    ル情報を読み出してＤ／Ａ変換器１１へ出力したりする。
４）Ｄ／Ａ変換器１１の入力側はメモリー１０の出力に接続されていてメモリー１０の出    力デジタル信号をアナログ信号に変換して出力する。
５）増幅器１２はＤ／Ａ変換器１１の出力信号を増幅して輻射器１３に伝える。
６）輻射器１３は入力されたアナログ電気信号を音に変換して輻射する。
７）音有無検出器１５はマイクロホンＢ８の出力に接続されていて、マイクロホンＢ８出    力信号が設定レベル以上だと“音有り”と判断して、その結果を制御信号発生器１４    へ出力する。
８）制御信号発生器１４はメモリー１０へ読み出し信号又は書き出し信号を出力していな    い時に音有無検出器１５から“音有り”情報の入力が有ると書き込み信号をメモリー    １０へ出力してＡ／Ｄ変換器９の出力信号をメモリー１０に書き込む。これは音有無    検出器１５の出力が“音無し”になるか又は、“音有り”状態が予め設定された時間    を越えるまで続けられる。
９）音有無検出器１５の出力が“音無し”になるか又は“音有り”状態が設定時間を越え    ると制御信号発生器１４は書き込み信号の出力を停止し、続いて読み出し信号をメモ    リー１０へ出力する。
１０）メモリー１０は書き込まれた情報を制御信号発生器１４から与えられる読み出し信    号によってデジタル信号として出力し始める。
１１）制御信号発生器１４はメモリー１０に書き込まれた情報が全て読み出されるまで読    み出し信号の出力を続ける。また、読み出しが行われている間は制御信号発生器１４    は書き込み信号を出力しない。
１２）Ｄ／Ａ変換器１１はメモリー１０の出力信号をアナログ信号に変換し、そのアナロ    グ信号は増幅器１２を経て輻射器１３から音として輻射される。
１３）メモリー１０の情報の全てが読み出し終えると、再び８）の動作に移り８）〜１３    ）が繰り返される。
１４）以上のようにしてマイクロホンＢ８によって捕らえられメモリー１０に書き込まれ    た音情報は、音検出が行われていない期間に輻射器１３から音として輻射される。
【産業上の利用可能性】
【０００８】難聴者は大きな音しか聞こえないので、電話の呼び出し音や来客を知らせるチャイムの音が聞こえない場合があり、これが原因で社会とのつながりに支障をきたす場合が少なくない。本発明はユーザーが電話機やチャイム等のそばに本発明の装置を置くだけで、チャイムや電話着信等の音を大きくできる機器を安価に提供できる。
また、発声と同時の輻射は出来ないが、非常に小型でハウリングの起きない小型拡声機を製造出来る。これは声帯摘出者の会話や屋外で手軽に使える拡声機として有用である。
更に、補聴器としても大きな可能性がある。従来の補聴器はハウリングを起こしやすい問題を原理的に持っているが、本発明を用いれば原理的にハウリングが起きない補聴器を製造出来るので、相手の声を大形スピーカーを使用して聞くことの出来る機器さえも製造可能である。
【図面の簡単な説明】
【０００９】
【図１】内蔵の信号発生器が発生した信号を音として輻射する、本発明が使用された音の存在を音で知らせる装置の構成例ブロックとそのスイッチ駆動信号波形図である。
【図２】検出された音信号を遅延＆増幅して輻射する方式の本発明が使用された音拡大装置の構成例ブロック図である。
【符号の説明】
【００１０】  １はマイクロホンＡ                      ２はスイッチＡ
３は検出＆保持器                        ４は音信号発生器
５はスイッチＢ                          ６は輻射器Ａ
７はスイッチ駆動器                      ８はマイクロホンＢ
９はＡ／Ｄ変換器                      １０はメモリー
１１はＤ／Ａ変換器                      １２は増幅器
１３は輻射器Ｂ                          １４は制御信号発生器
１５は音有無検出器
【図１】
2009268038.tif 000003
【図２】
2009268038.tif 000004